(57)【要約】      （修正有）【課題】デザイン性が高く、動的な鑑賞性にも優れたレコード時計およびその製造方法を提供する。【解決手段】盤面に意匠１６が表現されたレコード１１を文字盤とし、ムーブメント１２の出力部１３の回転力により時を刻むレコード時計１０において、レコード１１は、意匠１６を３分割するように、センターホール１５を中心にして同心円状に円環カットした秒針用部分レコード１１Ａ、時針用部分レコード１１Ｂ、分針用部分レコード１１Ｃからなり、出力部１３は、分針用筒軸２９、時針用筒軸３０、秒針用細軸３１を有し、時針用部分レコード１１Ｂと時針用筒軸３０とは、時針用支持枠４５と時針用連結板４６により連結され、分針用部分レコード１１Ｃと分針用筒軸２９とは、分針用支持枠４７、分針用連結板４８により連結され、秒針用部分レコード１１Ａと秒針用細軸３１とは、秒針用連結板４４により連結されたものである。【選択図】図２
2018200203.tif 000002
【特許請求の範囲】
【請求項１】
盤面に意匠が表現されたレコードを文字盤とし、ムーブメントの出力部の回転力により時を刻むレコード時計において、
前記レコードは、前記意匠を２分割するように、センターホールを中心として同心円状に円環カットした時針用部分レコードと分針用部分レコードとを有し、
前記ムーブメントの出力部は、時針用出力軸と分針用出力軸とを有し、
前記時針用部分レコードと前記時針用出力軸とは、時針用連結部材により連結され、
前記分針用部分レコードと前記分針用出力軸とは、分針用連結部材により連結されたことを特徴とするレコード時計。
【請求項２】
前記レコードは、前記意匠を３分割するように、前記センターホールを中心として同心円状に円環カットした前記時針用部分レコードと前記分針用部分レコードと秒針用部分レコードとを有し、
前記ムーブメントの出力部は秒針用出力軸を有し、
前記秒針用部分レコードと前記秒針用出力軸とは、秒針用連結部材により連結されたことを特徴とする請求項１に記載のレコード時計。
【請求項３】
音データを記憶する記憶部と、
前記レコードの盤面上で前記意匠が再現される時刻に、前記記憶部に記憶された音データを再生する音再生回路と、
該音再生回路により再生された音を出力するスピーカーとを有するオーディオ手段を具備した請求項１または請求項２に記載のレコード時計。
【請求項４】
前記レコードは、前記レコード時計の使用者から提供されたもので、
前記意匠は、前記使用者から提供されたレコードまたはこの使用者に纏わるもので、
前記レコードを音源とした音楽データを記憶する記憶部と、
前記レコードの盤面上で前記意匠が再現される時刻に、前記記憶部に記憶された音楽データを再生する音楽再生回路と、
該音楽再生回路により再生された音楽を出力するスピーカーとを有するオーディオ手段を具備した請求項１または請求項２に記載のレコード時計。
【請求項５】
盤面に意匠が表現されたレコードを文字盤とし、ムーブメントの出力部の回転力により時を刻むレコード時計の製造方法において、
前記レコードは使用者から提供されたもので、
前記レコードをレコードプレーヤーにより再生し、
該レコードプレーヤーから得られた音楽データを、前記レコード時計が具備するオーディオ手段の記憶部に記憶し、
前記音楽データの記憶後、前記レコードを加工して、その盤面に使用者またはこのレコードに纏わる意匠を表現し、
該意匠を２分割するように、センターホールを中心とした同心円状に前記レコードを円環カットして、時針用部分レコードと分針用部分レコードとを形成し、
前記レコードの中央部の裏側に、時針用出力軸と分針用出力軸とを出力部に有した前記ムーブメントを配置し、
前記時針用部分レコードと前記時針用出力軸とを、時針用連結部材により連結し、
前記分針用部分レコードと前記分針用出力軸とを、分針用連結部材により連結し、
前記オーディオ手段は、前記レコードの盤面上で前記意匠が再現される時刻に、前記記憶部に記憶された音楽データを再生する音楽再生回路と、該音楽再生回路により再生された音楽を出力するスピーカーとを有したものであることを特徴とするレコード時計の製造方法。
【請求項６】
前記レコードの円環カット時には、前記意匠を３分割するように、前記センターホールを中心とした同心円状に前記レコードを円環カットして、前記時針用部分レコードと前記分針用部分レコードと秒針用部分レコードとを形成し、
前記ムーブメントは、出力部に秒針用出力軸を有するもので、
前記秒針用部分レコードと前記秒針用出力軸とを、秒針用連結部材により連結したことを特徴とする請求項５に記載のレコード時計の製造方法。
【発明の詳細な説明】
【技術分野】
【０００１】
本発明は、レコードを文字盤に採用したレコード時計およびその製造方法に関する。
【背景技術】
【０００２】
合成樹脂製の円盤の面に音響情報を刻み込んで記録するメディアの一種として、レコードが知られている。レコードには、レコード針の機械的な接触により音を再生するアナログレコードと、１９８０年代から普及し、針を使わずレーザー光により非接触で音を再生するコンパクトディスク（ＣＤ、デジタルレコード）とがある。
何れのレコードにあっても、その再生音楽を聴きながら生活をしてきた年齢層にとって、愛着のあるレコードは存在するものである。
【０００３】
ところで、近年、アナログレコードのレトロ感がお洒落として、レコードを所望のデザインにレーザーカットして文字盤としたレコード時計が市販されている（例えば、非特許文献１など）。文字盤に刻まれたレコード溝や、中央部に貼られたレコードレーベルは、アナログレコードが全盛だった頃を思い出させるため、インテリアとしての商品価値も高い。
また、掛け時計や置時計の一種として、時針が各インデックス（時字）を指し、分針がインデックスの“１２”を指した正時（１時、２時、３時〜１２時）を、音により知らせる時報機能付きのものも知られている。
【先行技術文献】
【特許文献】
【０００４】
【非特許文献１】［平成２９年５月２日検索］、インターネット＜ＵＲＬ：ｈｔｔｐ：／／ｉｔｅｍ．ｒａｋｕｔｅｎ．ｃｏ．ｊｐ／ｅｔｏ−ｃｏｍｐａｎｙ／４５２６０６０／＞
【発明の開示】
【発明が解決しようとする課題】
【０００５】
しかしながら、従来のレコード時計は、所望のデザインにカットしたレコードを文字盤に用いただけのものであった。そのため、お洒落なインテリア時計としての価値はあるが、動的な鑑賞性に乏しいものであった。
また、上述した時報機能付きの掛け時計や置時計は、時針が各インデックスを指し、分針が“１２”を指す正時のみに、チャイム音やオルゴール音等を鳴らしていた。仮に、時針や分針がインデックスを指さない時刻で時報音が鳴った場合、時報機能が故障したと判断され、修理の対象となっていた。
【０００６】
そこで、発明者は、お気に入りのレコードを聴きながら生活をしてきた年齢層が、そのレコードのレーベル等を観ながら、動的な鑑賞性にも優れた、良き時代のモニュメントとしてのレコード時計はできないものか、しかもそのレコードに記録された愛着のある音楽も同時に楽しめないかという点について、長年にわたり鋭意研究を行ってきた。
その結果、レーザー加工等により盤面に所望の意匠が表現されたレコードを、意匠が複数に分割されるように、センターホールを中心として複数の同心円状の部分レコードに円環カットし、これらの部分レコードを時計の針（時針、分針等）として利用すれば、約１時間毎に時計回りに所定ピッチ（約３２．７°ピッチ）で角度位置を変えながらカット前の意匠（略同一意匠を含む）が現出することを知見し、この発明を完成させた。
また、従来のように毎正時（時針が時計回りに３０°ずつ移動した時）に時報音を鳴らすのではなく、このようにカット前の意匠の完成と同時に、例えば愛聴レコードの音楽を再生するように構成すれば、視覚的な刺激と聴覚的な刺激との相乗効果により、より強く使用者の想い出を呼び覚ますことができることを知見し、この発明を完成させた。
【０００７】
すなわち、本発明は、デザイン性が高く、動的な鑑賞性にも優れたレコード時計およびその製造方法を提供することを目的としている。
また、これらの効果に加えて、毎正時ではなく、時計の針が重なる時刻毎に、円環カット前のレコードに表現された意匠を再現するとともに、その意匠が再現されたことを音により報知することができるレコード時計を提供することを目的としている。
さらに、毎正時ではなく時計の針が重なる時刻毎に、円環カット前のレコードに表現された意匠と音楽とを同時に現出させ、これにより、毎正時ではなく時計の針が重なる時刻毎に、視覚的な刺激と聴覚的な刺激との相乗効果によって、より強く使用者の想い出を呼び覚ますことができるレコード時計およびその製造方法を提供することを目的としている。
【課題を解決するための手段】
【０００８】
請求項１に記載の発明は、盤面に意匠が表現されたレコードを文字盤とし、ムーブメントの出力部の回転力により時を刻むレコード時計において、前記レコードは、前記意匠を２分割するように、センターホールを中心として同心円状に円環カットした時針用部分レコードと分針用部分レコードとを有し、前記ムーブメントの出力部は、時針用出力軸と分針用出力軸とを有し、前記時針用部分レコードと前記時針用出力軸とは、時針用連結部材により連結され、前記分針用部分レコードと前記分針用出力軸とは、分針用連結部材により連結されたことを特徴とするレコード時計である。
【０００９】
レコード時計とは、レコードを文字盤に採用した時計である。時計の種類は任意である。例えば、壁掛け時計や置時計を採用することができる。また、標準電波を受信して誤差を自動修正する機能を有した電波時計でもよい。
ここでいう“レコード”とは、音楽、音声、各種音（鳥の鳴き声、川のせせらぎ、波の音等）を盤面に記録した音盤（ディスク）をいう。すなわち、アナログレコードだけでなく、コンパクトディスク（Ｃｏｍｐａｃｔ  Ｄｉｓｃ：ＣＤ（シーディー））、ＤＶＤ（ディー・ブイ・ディー）などを含む。このうち、アナログレコードとしては、ＬＰ（Ｌｏｎｇ  Ｐｌａｙ）レコード、シングルレコード、ＥＰ（Ｅｘｔｅｎｄｅｄ  Ｐｌａｙ）レコード、１２インチシングル、ＳＰ（Ｓｔａｎｄａｒｄ  Ｐｌａｙ）レコード、ビニール盤（ヴァイナル盤）、ソノシート、ピクチャー盤、１００％ｐｕｒｅＬＰを採用することができる。
レコードは、新品（未使用品）でも、中古品（使用済み、破損品）でもよい。
【００１０】
ここでいう“レコードを同心円状に円環カットする”とは、レコードのセンターホール（中心穴）を中心にして、その直径（半径）方向に離間した位置で、レコードをドーナツ状に切断することをいう。円環カットされる領域は、レコードレーベルが貼られたレコードの中央部を含んでも、含まなくてもよい。
レコードを同心円状に２分割すれば、時針用部分レコードと分針用部分レコードとが形成される。
時針用部分レコードとは、時計の時針を構成するドーナツ状（円環状）のレコード部分である。
分針用部分レコードとは、時計の分針を構成するドーナツ状のレコード部分である。
時針用および分針用部分レコードには、針先に該当する任意の目印（凸部、凹部、マーク部、貼着シール部等）を付けてもよい。
時針用および分針用部分レコードの配置（センターホールからの離間位置）は任意である。例えば、レコードの半径方向外側に向かって、順に時針用部分レコード、分針用部分レコードでも、その反対でもよい。
時針用および分針用部分レコードの幅（レコード半径方向の幅）は任意である。均等幅でもよいし、そうでなくてもよい。
【００１１】
“意匠”の種類は限定されない。例えば、レコードの盤面に現出される立体的な意匠（例えば、レコードの一部をレーザーカットして表現した意匠、盤面に造形品を固定して表現した意匠等）を採用することができる。その他、レコードの盤面に現出される平面的な意匠（例えば、レーザー加工やサンドブラスト加工などの彫刻、ペイント、貼着シールによって現出した意匠等）でもよい。
“意匠を２分割する”とは、レコードの円環カット時、意匠の一部が各部分レコードに含まれるように、センターホールを中心として意匠を２つにカットすることをいう。すなわち、時針用部分レコードには時針用部分意匠、分針用部分レコードには分針用部分意匠が配される。
【００１２】
ムーブメントとは、時計の動力機構部（歯車式動力伝達部を含む）である。例えば、電池を電源とした自動式のムーブメント（クォーツ時計用）でも、手巻き式のムーブメントでもよい。
出力部とは、動力機構により発生した回転力を外部へ取り出すための部分である。
このうち、時針用出力軸とは、時針用部分レコードに動力機構の回転力を出力する部材である。
分針用出力軸とは、分針用部分レコードに動力機構の回転力を出力する部材である。レコードが２分割される場合（秒針用部分レコードおよび秒針用出力軸は省略）、分針用出力軸は必ずしも筒軸でなく、中実の軸（シャフト）でもよい。
時針用連結部材の素材および形状は、他の部分レコードの回転に支障がなく、時針用出力軸と時針用部分レコードとを連結できれば任意である。時針用連結部材の形状としては、例えば、線状部材、板状部材、環状部材などでもよい。
分針用連結部材の素材および形状は、他の部分レコードの回転に支障がなく、分針用出力軸と分針用部分レコードとを連結できれば任意である。分針用連結部材の形状としては、例えば、線状部材、板状部材、環状部材などでもよい。
【００１３】
請求項２に記載の発明は、前記レコードは、前記意匠を３分割するように、前記センターホールを中心として同心円状に円環カットした前記時針用部分レコードと前記分針用部分レコードと秒針用部分レコードとを有し、前記ムーブメントの出力部は秒針用出力軸を有し、前記秒針用部分レコードと前記秒針用出力軸とは、秒針用連結部材により連結されたことを特徴とする請求項１に記載のレコード時計である。
【００１４】
レコードを、センターホールを中心にして同心円状に３分割すれば、時針用部分レコード、分針用部分レコードおよび秒針用部分レコードが形成される。
秒針用部分レコードとは、時計の秒針を構成するドーナツ状のレコード部分である。
秒針部分レコードには、針先に該当する任意の目印（凸部、凹部、マーク部、シール部等）を付けてもよい。
３つの部分レコードの配置は任意である。例えば、レコードの半径方向外側に向かって、順次、秒針用部分レコード、時針用部分レコード、分針用部分レコードとすることができる。その他、時針用部分レコード、分針用部分レコード、秒針用部分レコードとしても、その反対でもよい。
３つの部分レコードの幅（レコード半径方向の幅）は任意である。均等幅でもよいし、そうでなくてもよい。
【００１５】
“意匠を３分割する”とは、レコードの円環カット時、意匠の一部が各部分レコードに含まれるように、センターホールを中心として意匠を３つにカットすることをいう。すなわち、時針用部分レコードの時針用部分意匠、分針用部分レコードの分針用部分意匠とは外に、秒針用部分レコードに秒針用部分意匠が配される。
秒針用出力軸とは、秒針用部分レコードに動力機構の回転力を出力する部材である。
秒針用連結部材の素材、形状などは、他の部分レコードの回転に支障がなく、秒針用出力軸と秒針用部分レコードとを連結できれば任意である。秒針用連結部材の形状としては、例えば、線状部材、板状部材、環状部材などでもよい。
【００１６】
請求項３に記載の発明は、音データを記憶する記憶部と、前記レコードの盤面上で前記意匠が再現される時刻に、前記記憶部に記憶された音データを再生する音再生回路と、該音再生回路により再生された音を出力するスピーカーとを有するオーディオ手段を具備した請求項１または請求項２に記載のレコード時計である。
【００１７】
ここでいう“レコードの盤面上で意匠が再現される時刻”とは、カット前の意匠と完全一致の意匠が再現される時刻だけでなく、カット前の意匠と略同一意匠が再現される時刻を含むものとする。例えば、意匠が時針用部分レコードと分針用部分レコードとに２分割されている場合、時計の針における時針と分針とが重なる、午前と午後とにそれぞれ約３２．７°ピッチで１１回ずつ、時針用部分意匠と分針用部分意匠とのズレ角が０°となって、分割前の意匠が再現（現出）される。具体的な時刻は、０時０分（１２時０分）、１時５分、２時１０分、３時１６分、４時２１分、５時２７分、６時３２分、７時３８分、８時４３分、９時４９分、１０時５４分である。
【００１８】
また、この意匠が、時針用部分レコードと分針用部分レコードと秒針用部分レコードとに３分割されている場合にも、同じように時針と分針とが重なる午前と午後とに１１回ずつ、カット前の時針用部分意匠と分針用部分意匠と秒針用部分意匠とが再現される（略再現される状態を含む）。それらの時刻とは、０時０分０秒（１２時０分０秒）、１時５分２７秒、２時１０分５４秒、３時１６分２１秒、４時２１分４９秒、５時２７分１６秒、６時３２分４３秒、７時３８分１０秒、８時４３分３８秒、９時４９分５秒、１０時５４分３２秒である。
【００１９】
なお、時針用部分意匠と分針用部分意匠との間でカット前の意匠が再現された時、残った秒針用部分意匠は、０時０分０秒の時刻を除き、２つの部分意匠とは異なる角度位置に在る。そのため、この場合、３つの部分意匠にカットされる前の意匠の完全な再現ではない。しかしながら、時針用部分意匠と分針用部分意匠とのズレ角が０°となる時刻の１分前または１分後には、秒針用部分意匠と、隣り合う時針用部分意匠または分針用部分意匠とのズレ角が０°となる時刻が存在する。これらの時刻において、カット前の意匠と、３つの部分意匠からなる意匠（略同一意匠）との違いは、凝視しなければ判別できない程度である。
この点を踏まえて、本発明では、０時０分０秒だけでなく、残った１０の時刻（１時５分前後、２時１０分前後等）を含めて、３分割した場合であっても、午前および午後に１１回ずつ、約３２．７°ピッチで円環カット前の意匠が現出されるということとする。
【００２０】
ここで、意匠が時針用部分意匠と分針用部分意匠と秒針用部分意匠とに３分割されている場合において、時計の針における時針と分針とが重なる時刻との計算式は、以下の通りである。
すなわち、分針（分針用部分レコード）が３０分を刻むとき、時針（時針用部分レコード）が０．５時間を刻む場合、つまり１秒で、時針が（３６０／１２）／３６００＝（１／１２０）°傾き、分針が３６０／３６００＝（１／１０）°傾く。この場合、時針と分針が重なるのは、時針がｋ時の時、ｋ時間＋α秒経った時とすると
３０°ｋ＋（１／１２０）°α＝（１／１０）°α
α＝３６００ｋ／１１（秒）
α秒経ったときの秒針の角度βは
６°×α
＝６°×３６００ｋ／１１
＝（３６０×Ｍ）＋βである。
ここで、Ｍはα秒間に秒針がＭ回転（Ｍ分間）した数値である。
【００２１】
なお、意匠を３分割する場合、“レコードの盤面上で円環カット前の意匠（略同一意匠を含む）が再現される”のは、１秒〜数秒である。そのため、スピーカーから音が発せられた後、レコード時計を見ても、秒針用部分意匠がいくらか角度ズレしているおそれがある。そこで、例えば、円環カット前の意匠（略同一意匠を含む）が再現された後、秒針用部分レコードが１回転する時間（１分間）だけ、時針用出力軸および分針用出力軸への回転力の伝達には支障なく、秒針用部分レコードの回転を停止するように構成してもよい。また、この停止している１分間だけ、音（例えば音楽等）を継続して出力するようにしてもよい。１分経過直後、秒針用部分レコードの回転を再開しても、時針用出力軸および分針用出力軸が通常通りに回転していれば、時間の遅れは生じない。
秒針用部分レコードの回転を停止する構成（秒針レコード回転停止手段）としては、例えば、秒針用出力軸の途中部にクラッチ、トルクリミッタ、歯車歯合・脱合機構を設け、１分間だけ秒針用出力軸の空回りを許容するものが考えられる。このうち、クラッチまたはトルクリミッタを使用する際には、例えばソレノイドのシャフト等をストッパとして採用し、これを秒針用連結部材や秒針用部分レコードに当接して、秒針用出力軸を１分間または歌唱曲約１曲分の３分間だけ空回りさせるようにしてもよい。
【００２２】
ここでいう音データとは、音全般のデジタルデータである。例えば、ブザー音データ、ベル音データ、チャイム音データ、オルゴール音データ、各種の楽器演奏データ、各種の歌唱データ、これらの複合データを含む。なお、鳥の鳴き声、川のせせらぎ、波の音といったデジタル形式の他の音データでもよい。
ここでいうオーディオ手段とは、記憶部に記憶された音データ（デジタルデータ）を音再生回路により再生し、再生された音信号を物理振動に変換して、スピーカーから音を出力するものであれば、その種類は限定されない。なお、就寝中など、音を出力したくない場合には、消音するように構成してもよい。
記憶部としては、例えば、読み出し専用のＲＯＭ（Ｒｅａｄ  Ｏｎｌｙ  Ｍｅｍｏｒｙ）や、読み書きが自在なＲＡＭ（Ｒａｎｄｏｍ  Ａｃｃｅｓｓ  Ｍｅｍｏｒｙ）などを採用することができる。
音再生回路とは、記憶部に記憶された音データを音信号に再生する回路である。
スピーカーとは、音信号を物理振動に変えて、音楽や音声などの音を生み出す音発生器である。スピーカーの種類は任意である。
【００２３】
請求項４に記載の発明は、前記レコードは、前記レコード時計の使用者から提供されたもので、前記意匠は、前記使用者から提供されたレコードまたはこの使用者に纏わるもので、前記レコードを音源とした音楽データを記憶する記憶部と、前記レコードの盤面上で前記意匠が再現される時刻に、前記記憶部に記憶された音楽データを再生する音楽再生回路と、該音楽再生回路により再生された音楽を出力するスピーカーとを有するオーディオ手段を具備した請求項１または請求項２に記載のレコード時計である。
【００２４】
“使用者から提供されたレコード”とは、レコード時計の使用者が文字盤用として提供したレコードで、長年愛聴したものを含む。
ここでいう“使用者”とは、レコード時計の購入者、それを譲り受けた者、レコード時計を実際に使用する者などである。
ここでいう“レコードに纏わる意匠”とは、文字盤に採用されたレコードに記録された音楽等に関連した平面的または立体的意匠などが挙げられる。例えば、レコードが映画のサウンドトラック盤の場合、その映画の一場面などを表現した意匠を採用することができる。その他、そのレコードが歌手の楽曲の場合、その歌手やその曲が流行った時代を表現した意匠などが挙げられる。
ここでいう“使用者に纏わる意匠”とは、例えば、使用者自身（使用者の写真、使用者の想い出の一場面等）、家族（家族の写真、家族との想い出の一場面等）、友人または知人（友人または知人の写真、友人または知人との想い出の一場面等）、使用者が印象深い時代等を平面的に表現した意匠、またはそれらを立体的に表現した意匠などが挙げられる。
ここでいう“レコードの盤面上で意匠が再現される時刻に音楽データを再生する”とは、上述した午前と午後の各１１回の時刻に、各部分意匠の位置ズレが０°となって、分割前の意匠を再現することをいう。
【００２５】
ここでいう音楽データとは、音楽全般のデジタルデータである。例えば、各種の演奏データ、各種の歌唱データ、これらの複合データを含む。
ここでいう“レコードを音源とした音楽データ”とは、使用者が提供した（音溝の傷も愛着がある）レコードをレコードプレーヤーにより再生したデジタル音楽データをいう。なお、使用者からの提供レコードではないレコードを音源としてもよい。
【００２６】
ここでいうオーディオ手段とは、記憶部に記憶された音楽データ（デジタルデータ）を音楽再生回路により再生し、再生された音楽信号を物理振動に変換して、スピーカーから音楽を出力するものであれば、その種類は限定されない。
音楽再生回路とは、記憶部に記憶された音楽データを音楽信号に再生する回路である。音楽再生回路は音再生回路の一種である。
【００２７】
請求項５に記載の発明は、盤面に意匠が表現されたレコードを文字盤とし、ムーブメントの出力部の回転力により時を刻むレコード時計の製造方法において、前記レコードは使用者から提供されたもので、前記レコードをレコードプレーヤーにより再生し、該レコードプレーヤーから得られた音楽データを、前記レコード時計が具備するオーディオ手段の記憶部に記憶し、前記音楽データの記憶後、前記レコードを加工して、その盤面に使用者またはこのレコードに纏わる意匠を表現し、該意匠を２分割するように、センターホールを中心とした同心円状に前記レコードを円環カットして、時針用部分レコードと分針用部分レコードとを形成し、前記レコードの中央部の裏側に、時針用出力軸と分針用出力軸とを出力部に有した前記ムーブメントを配置し、前記時針用部分レコードと前記時針用出力軸とを、時針用連結部材により連結し、前記分針用部分レコードと前記分針用出力軸とを、分針用連結部材により連結し、前記オーディオ手段は、前記レコードの盤面上で前記意匠が再現される時刻に、前記記憶部に記憶された音楽データを再生する音楽再生回路と、該音楽再生回路により再生された音楽を出力するスピーカーとを有したものであることを特徴とするレコード時計の製造方法である。
【００２８】
レコードプレーヤーは、対応するレコード（アナログレコード、ＣＤ、ＤＶＤ等）を再生することができるものであれば任意である。
円環カットの前処理として、意匠が表現されたレコードの裏面に、レコードと略同一直径の裏当て板を分離不能に固着（貼着）してもよい。固着後、裏当て板と一体的にレコードをカットすれば、仮にレコードカット時に、対応する部分レコードから島状に離間した片部分が現出しても、その片部分が、対応するドーナツ状の裏当て部分板に止まり、離散しない。すなわち、裏当て板を使用することで、レーザーカットによるレコードの意匠表現が拡大する。
また、ムーブメントの出力部により回転するレコードの軽量化を図るとともに、レコードと裏当て板との接着性を高めるため、裏当て板を接着する前に、レコードの裏面をポリッシングして肉薄としてもよい。
【００２９】
請求項６に記載の発明は、前記レコードの円環カット時には、前記意匠を３分割するように、前記センターホールを中心とした同心円状に前記レコードを円環カットして、前記時針用部分レコードと前記分針用部分レコードと秒針用部分レコードとを形成し、前記ムーブメントは、出力部に秒針用出力軸を有するもので、前記秒針用部分レコードと前記秒針用出力軸とを、秒針用連結部材により連結したことを特徴とする請求項５に記載のレコード時計の製造方法である。
【発明の効果】
【００３０】
請求項１に記載のレコード時計によれば、意匠を２分割するように、盤面に意匠が表現されたレコードを、センターホールを中心にして同心円状に時針用部分レコードと分針用部分レコードとに円環カットし、これらを時計の時針、分針として利用する。そのため、ムーブメントの時針用出力軸が半日毎（１２時間毎）に１回転することで、時針用連結部材を介して時針用部分レコードが同じ速度で回転する。また、分針用出力軸が毎時１回転することで、分針用連結部材を介して分針用部分レコードが同じ速度で回転する。これにより、約１時間毎、時計回りに所定ピッチ（約３２．７°ピッチ）で角度位置を変えながら、カット前の意匠が現出する。その結果、レコードを文字盤としたお洒落なインテリア時計としての高いデザイン性を有するだけでなく、動的な鑑賞性にも優れたレコード時計を提供することができる。
【００３１】
特に、請求項２に記載のレコード時計によれば、レコードを円環カットする際には、意匠を３分割するように、センターホールを中心にした同心円状に、レコードを時針用部分レコードと分針用部分レコードと秒針用部分レコードとにカットし、これらを時計の時針、分針、秒針として利用する。また、ムーブメントの出力部と各部分レコードとの連結に際しては、秒針用連結部材を介して、秒針用出力軸と秒針用部分レコードとの連結も行う。これにより、時針用出力軸が半日毎に１回転することで、時針用連結部材を介して時針用部分レコードが同じ速度で回転する一方、分針用出力軸が毎時１回転することで、分針用連結部材を介して分針用部分レコードが同じ速度で回転する。また、ムーブメントの秒針用出力軸が毎分１回転することで、秒針用連結部材を介して、秒針用部分レコードが同じ速度で回転する。
【００３２】
そのため、時針用部分意匠と分針用部分意匠との間でカット前の意匠が再現された時、残った秒針用部分意匠は、０時０分０秒の時刻を除き、２つの部分意匠とは異なる角度位置に在るが、時針用部分意匠と分針用部分意匠とのズレ角が０°となる時刻の１分前または１分後には、秒針用部分意匠と、隣り合う時針用部分意匠または分針用部分意匠とのズレ角が０°となる時刻が存在する。これにより、これらの時刻において、カット前の意匠と、３つの部分意匠からなる意匠とは、凝視しなければ判別できない程度の形状変形しか発生しない。
その結果、３分割された意匠であっても、約１時間毎、時計回りに所定ピッチで角度位置を変えながら、カット前の意匠（略同一意匠を含む）を現出することができる。
【００３３】
また、請求項３に記載のレコード時計によれば、レコードの盤面上で円環カット前の意匠（略同一意匠を含む）が再現された時刻に、オーディオ手段の記憶部に記憶された音データを音再生回路により再生し、スピーカーにより出力する。これにより、毎正時ではなく、時計の針が重なる時刻毎に、円環カット前のレコードに表現された意匠を再現するとともに、その意匠が再現されたことを音により報知することができる。
【００３４】
さらに、請求項４に記載のレコード時計によれば、使用者から提供された（愛聴）レコードの盤面上で、円環カット前の“使用者またはレコードに纏わる意匠（略同一意匠を含む）”が再現された時刻に、オーディオ手段の記憶部に記憶された“使用者からのレコードを音源とした音楽データ”を音楽再生回路により再生し、スピーカーにより出力する。これにより、毎正時ではなく時計の針が重なる時刻毎に、視覚的な刺激と聴覚的な刺激との相乗効果によって、より強く使用者の想い出を呼び覚ますことができる。
【００３５】
また、請求項５に記載のレコード時計の製造方法によれば、まず使用者から提供された（愛聴）レコードをレコードプレーヤーにより再生し、得られた音楽データをオーディオ手段の記憶部に記憶する。その後、このレコードを加工して、使用者またはこのレコードに纏わる意匠をレコードの盤面に表現する。次いで、意匠を２分割するように、このレコードをセンターホールを中心にして同心円状に円環カットし、時針用部分レコードと分針用部分レコードとを形成する。その後、レコードの中央部の裏側に、時針用出力軸と分針用出力軸とを出力部に有したムーブメントを配置する。
次いで、時針用部分レコードと時針用出力軸とを時針用連結部材により連結するとともに、分針用部分レコードと分針用出力軸とを、分針用連結部材により連結する。これにより、レコード時計が製造される。
【００３６】
ムーブメントの作動により、時針用出力軸が半日毎に１回転することで、時針用連結部材を介して時針用部分レコードが同じ速度で回転する一方、分針用出力軸が毎時１回転することで、分針用連結部材を介して分針用部分レコードが同じ速度で回転する。これにより、約１時間毎、時計回りに約３２．７°ピッチで角度位置を変えながら、カット前の意匠が現出する。その結果、レコードを文字盤としたお洒落なインテリア時計としての高いデザイン性を有するだけでなく、動的な鑑賞性にも優れたレコード時計を提供することができる。
また、使用者から提供された（愛聴）レコードの盤面上で、円環カット前の“使用者またはレコードに纏わる意匠”が再現された時刻に、オーディオ手段の記憶部に記憶された“使用者からのレコードを音源とした音楽データ”を音楽再生回路により再生し、再生した音楽をスピーカーにより出力する。これにより、毎正時ではなく時計の針が重なる時刻毎に、視覚的な刺激と聴覚的な刺激との相乗効果によって、より強く使用者の想い出を呼び覚ますことができる。
【００３７】
さらに、請求項６に記載のレコード時計の製造方法によれば、盤面に所定の意匠が表現されたレコードの円環カット時には、意匠を３分割するように、センターホールを中心にしてレコードを時針用部分レコードと分針用部分レコードと秒針用部分レコードとにカットする。また、ムーブメントの各出力軸と各部分レコードとの連結時には、秒針用連結部材を介して、秒針用出力軸と秒針用部分レコードとの連結も行う。
これにより、ムーブメントの作動により、時針用出力軸が半日毎に１回転することで、時針用連結部材を介して時針用部分レコードが同じ速度で回転する一方、分針用出力軸が１時間毎に１回転することで、分針用連結部材を介して分針用部分レコードが同じ速度で回転するとともに、ムーブメントの秒針用出力軸が１分間毎に１回転することで、秒針用連結部材を介して、秒針用部分レコードが同じ速度で回転する。
【００３８】
これにより、使用者から提供された（愛聴）レコードの盤面上で、円環カット前の“使用者またはレコードに纏わる意匠（略同一意匠を含む）”が再現された時刻に、オーディオ手段の記憶部に記憶された“使用者からのレコードを音源とした音楽データ”を音楽再生回路により再生し、スピーカーにより出力する。
その結果、３分割された意匠であっても、毎正時ではなく時計の針が重なる時刻毎に、視覚的な刺激と聴覚的な刺激との相乗効果によって、より強く使用者の想い出を呼び覚ますことができる。
【図面の簡単な説明】
【００３９】
【図１】本発明の実施例１に係るレコード時計で、意匠を３分割し、かつ０時０分０秒に意匠が再現された状態を示す正面図である。
【図２】本発明の実施例１に係るレコード時計を示す要部横断面図である。
【図３】本発明の実施例１に係るレコード時計を示すムーブメントの内部構造を示す模式図である。
【図４】本発明の実施例１に係るレコード時計の製造方法を示すフローシートである。
【図５】本発明の実施例１に係るレコード時計で、意匠の図柄が大きく位置ズレした状態を示す正面図である。
【図６】本発明の実施例１に係るレコード時計で、略同一意匠が再現された状態を示す正面図である。
【図７】本発明の実施例１に係るレコード時計で、秒針用部分レコードの回転停止構造を示す要部横断面図である。
【図８】本発明の実施例１に係る別の形態のレコード時計で、意匠を２分割し、盤面に立体モニュメントが搭載されたものを示す要部横断面図である。
【発明を実施するための形態】
【００４０】
以下、本発明の実施例を、図面を参照して具体的に説明する。ここでは時刻を時分秒により表示する壁掛け時計を例にする。
【実施例】
【００４１】
図１および図２において、１０は本発明の実施例１に係るレコード時計で、盤面の音溝領域ａに意匠１６が表現されたレコード１１を文字盤とし、ムーブメント１２の出力部１３の回転力により時を刻む壁掛け式のものである。
以下、このレコード時計１０を詳しく説明する。
レコード１１は、使用者から提供され、使用者の愛聴曲である“バタフライ”が収録された黒色の塩化ビニル樹脂製のＬＰ盤である。レコード１１の中央部分にはレーベル１４が貼着され、その中心部に小さなセンターホール１５が形成されている。レコード１１の音溝領域ａの全体には、レーザーカットにより、蝶と花とをモチーフにした意匠１６が表現されている。すなわち、この意匠１６は、レコード１１および使用者に纏わるものである。
【００４２】
レコード１１は、意匠１６をレコード１１の半径方向に３等分割するように、センターホール１５を中心とした同心円状に円環カットされている。これにより、レコード１１の半径方向の外側へ向かって順に、レーベル１４が貼着されたレコード１１の中央部分と一体化した円板状の秒針用部分レコード１１Ａと、ドーナツ状の時針用部分レコード１１Ｂと、この時針用部分レコード１１Ｂと同一幅のドーナツ状の分針用部分レコード１１Ｃとが配される。このうち、秒針用部分レコード１１Ａには秒針用部分意匠１６Ａが形成され、時針用部分レコード１１Ｂには時針用部分意匠１６Ｂが形成され、分針用部分レコード１１Ｃには分針用部分意匠１６Ｃが形成されている。
また、各部分レコード１１Ａ〜１１Ｃの裏面全域には、対応する部分レコード１１Ａ〜１１Ｃと同一形状・同一サイズとなる、円板状の秒針用裏当て部分板１７Ａと、ドーナツ状の時針用裏当て部分板１７Ｂと、ドーナツ状の分針用裏当て部分板１７Ｃとがそれぞれ固定されている。各部分裏当て板１７Ａ〜１７Ｃは、透明または白色のプラスチックからなる軽量な薄板である。
【００４３】
秒針用裏当て部分板１７Ａの表面の一部には、秒針の針先を示す金色等の秒針先マークＭ１が付されている。また、時針用部分レコード１１Ｂの表面の一部には、時針の針先を示す金色等の時針先マークＭ２が付されている。同様に、分針用部分レコード１１Ｃの表面の一部には、分針の針先を示す金色等の分針先マークＭ３が付されている。なお、各針先マークＭ１〜Ｍ３は、異なる色としてもよい。各針先マークＭ１〜Ｍ３は、０時０分０秒、１２時０分０秒の時刻のみ、仮想の垂線上に配される。
【００４４】
次に、図２および図３を参照して、ムーブメント１２を説明する。
図２および図３に示すように、ムーブメント１２は、レコード１１の中央部分に連結される外殻としてのケーシング１９を有している。ケーシング１９の内部空間には、電池２０と、水晶の振動を演算し、１秒間に１回の電気信号を発生させるＩＣチップ２１（ＣＰＵ）が搭載された制御部２２と、制御部２２からの電気信号に基づき、駆動歯車２３を１秒間に１回転させるステップモータ２４と、駆動歯車２３の回転力により、３つの部分レコード１１Ａ〜１１Ｃを所定の回転速度で回転させる前記出力部１３とを有している。
【００４５】
制御部２２には、使用者が提供したレコード１１を音源とした愛聴曲の“バタフライ“の音楽データ（音データ）を記憶する記憶部２５と、レコード１１の盤面上で円滑カットする前の意匠（略同一意匠１６Ｄを含む（図６を参照））１６が再現された時刻に、記憶部２５に記憶された音楽データを再生する音楽再生回路（音再生回路）２６と、音楽再生回路２６により再生された音楽（音）を出力するスピーカー２７とが配設されている。これらの記憶部２５、音楽再生回路２６およびスピーカー２７により、オーディオ手段２８が構成される。
図２に示すように、出力部１３は、短尺で大径な分針用筒軸（分針用出力軸）２９と、分針用筒軸２９に挿入されて、分針用筒軸２９より長尺な時針用筒軸（時針用出力軸）３０と、時針用筒軸３０に挿入されて、時針用筒軸３０より長尺な秒針用細軸（秒針用出力軸）３１とを有している。これらの分針用筒軸２９、時針用筒軸３０および秒針用細軸３１は、歯車式動力伝達構造体３２を介して、所定の回転速度で回転する（図３を参照）。
【００４６】
以下、歯車式動力伝達構造体３２による基本的な回転力の伝達概念を、実際の歯車の配置を無視した図３を参照して説明する。
すなわち、ステップモータ２４の駆動歯車２３には大径な第１の歯車３３が歯合されている。第１の歯車３３の裏側には小径な第２の歯車３４が同軸配置され、第２の歯車３４には、秒針用細軸３１の基端部が連結されて、１分間に１回転する大径な第３の歯車３５が歯合している。また、第３の歯車３５の表側には、小径な第４の歯車３６が同軸配置されている。この第４の歯車３６には大径な第５の歯車３７が歯合されている。第５の歯車３７の表側には、小径な第６の歯車３８が同軸配置されている。この第６の歯車３８には、分針用筒軸２９の基端部が連結された１時間に１回転する大径な第７の歯車３９が歯合されている。
【００４７】
第７の歯車３９の表側には、小径な第８の歯車４０が同軸配置されており、第８の歯車４０には大径な第９の歯車４１が歯合されている。この第９の歯車４１の表側には、小径な第１０の歯車４２が同軸配置されている。また、この第１０の歯車４２には、時針用筒軸３０の基端部が連結され、かつ１２時間に１回転する大径な第１１の歯車４３が連結されている。分針用筒軸２９には、これより長尺な時針用筒軸３０が回転自在に挿通されている。また、時針用筒軸３０にはこれより長尺な秒針用細軸３１が回転自在に挿通されている。
ステップモータ２４により駆動歯車２３が毎秒１回転することで、その回転力により第１〜第３の歯車３３〜３５を介して秒針用細軸３１を１分間に１回転させる。これと同時に、第４〜第７の歯車３６〜３９を介して、分針用筒軸２９が１時間に１回転するとともに、第８〜第１１の歯車４０〜４３を介して、時針用筒軸３０が１２時間に１回転する。
【００４８】
図２および図３に示すように、秒針用細軸３１の先端部には、大径な円板状の秒針用連結板（秒針用連結部材）４４の中心部が固定されている。秒針用連結板４４の外周部の表側には、秒針用裏当て部分板１７Ａが固定されている。また、秒針用連結板４４の中心部の表側には、レコード１１のセンターホール１５に嵌入される短尺なセンターピンＰが立設されている。さらに、秒針用連結板４４の外周縁には、レコード１１の裏側へ段差状に屈曲して、時針用裏当て部分板１７Ｂの内周部を裏側から支持する時針用支持フランジ４４ａが一体形成されている。
時針用筒軸３０の先端部には、周方向へ９０°ピッチで、時針用筒軸３０を中心として放射状に延びる４本の時針用支持枠（時針用連結部材）４５の基端リング部４５ａが外嵌されている。各時針用支持枠４５の先端部はレコード１１の表側へ屈曲している。これらの屈曲部の先端には、表側に時針用裏当て部分板１７Ｂが固定されたドーナツ状の時針用連結板（時針用連結部材）４６の裏側が固定されている。時針用連結板４６の外周縁には、レコード１１の裏側へ段差状に屈曲して、分針用裏当て部分板１７Ｃの内周部を裏側から支持する分針用支持フランジ４６ａが一体形成されている。
分針用筒軸２９の先端部には、周方向へ９０°ピッチで、分針用筒軸２９を中心として放射状に延びる４本の分針用支持枠（分針用連結部材）４７の基端リング部４７ａが外嵌されている。各分針用支持枠４７の先端部はレコード１１の表側へ屈曲している。これらの屈曲部の先端には、表側に分針用裏当て部分板１７Ｃが固定されたドーナツ状の分針用連結板（分針用連結部材）４８の裏側が固定されている。
【００４９】
次に、図４のフローシートを参照して、レコード時計１０の製造方法について説明する。
図４のフローシートに示すように、まず、使用者から提供されたレコード１１を図示しないレコードプレーヤーにより再生する。このとき、レコードプレーヤーから出力された音楽データをオーディオ手段２８の記憶部２５に記憶する。
音楽データの記憶後、レコード１１の盤面の音溝領域ａ全体に、使用者の愛聴曲“バタフライ”に纏わる蝶と花とをモチーフにした意匠１６をレーザーカットする（図１を参照）。
その後、レコード１１の裏面に、レコード１１と同一直径の透明または白色の薄肉なプラスチック製の円板である裏当て板１７を接着する。なお、レコード１１の軽量化およびレコード１１と裏当て板１７との接着性を高めるため、レーザーカット前のレコード１１の裏面全体をポリッシングし、薄肉にしてもよい。また、裏当て板１７は省略してもよい。
次に、秒針用裏当て部分板１７Ａの表面の一部と、時針用部分レコード１１Ｂの表面の一部と、分針用部分レコード１１Ｃの表面の一部とに、対応する秒針先マークＭ１、時針先マークＭ２、分針先マークＭ３を金色等のペンキによって表示する。
【００５０】
次いで、意匠１６を音溝領域ａを半径方向に３等分割するように、センターホール１５を中心とした同心円状に、裏当て板１７ごとレコード１１を円環カットする。これにより、レーベル１４が貼着されたレコード１１の中央部分と一体化し、かつ裏側に秒針用裏当て部分板１７Ａが接着された秒針用部分レコード１１Ａと、裏側に時針用裏当て部分板１７Ｂが接着された時針用部分レコード１１Ｂと、裏側に分針用裏当て部分板１７Ｃが接着された分針用部分レコード１１Ｃとが形成される。
【００５１】
次に、図２に示すように、レコード１１の中央部分の裏側にムーブメント１２を装着する。
具体的には、まず、秒針用細軸３１の先端部に秒針用連結板４４の中心部の裏側を連結する。その後、センターピンＰをレコード１１のセンターホール１５に嵌入し、この状態で、秒針用連結板４４の表側にレコード１１の中央部分の裏側を接着する。
次いで、時針用筒軸３０の先端部に、基端リング部４５ａを介して、４本の時針用支持枠４５を連結するとともに、時針用裏当て部分板１７Ｂを介して、時針用連結板４６の表側に時針用部分レコード１１Ｂを接着する。また、分針用筒軸２９の先端部に、基端リング部４７ａを介して、４本の分針用支持枠４７を連結するとともに、分針用裏当て部分板１７Ｃを介して、分針用連結板４８の表側に分針用部分レコード１１Ｃを接着する。このとき、各部分レコード１１Ａ〜１１Ｃは、それぞれの針先マークＭ１〜Ｍ３が基準となる０時０分０秒の時刻に、仮想の垂線上に並ぶようにセットされる（図１を参照）。
【００５２】
図２および図３に示すように、この実施例１のレコード時計１０のムーブメント１２において、電池２０の電圧により水晶が所定の周波数で振動し、それを制御部２２のＩＣチップ（ＣＰＵ）２１が演算して、１秒間に１回の電気信号を発生させる。この電気信号に基づき、ステップモータ２４の駆動歯車２３を１秒間に１回転させ、駆動歯車２３の回転力により、出力部１３の秒針用細軸３１を１分間で１回転させるとともに、分針用筒軸２９を１時間に１回転させ、かつ時針用筒軸３０を１２時間で１回転させる。
これに伴い、秒針用細軸３１に固定された秒針用連結板４４を介して、秒針用部分意匠１６Ａ付きの秒針用部分レコード１１Ａが１分間毎に１回転する。さらに、分針用筒軸２９に連結された分針用支持枠４７と分針用連結板４８とを介して、分針用部分意匠１６Ｃ付きの分針用部分レコード１１Ｃが１時間毎に１回転する。さらにまた、時針用筒軸３０に連結された時針用支持枠４５と時針用連結板４６とを介して、時針用部分意匠１６Ｂ付きの時針用部分レコード１１Ｂが１２時間毎に１回転する。例えば、３時４３分５２秒の時刻における各部分意匠１６Ａ〜１６Ｃの配置は、図５となる。
【００５３】
そのため、約１時間毎、時計回りに所定ピッチ（約３２．７°ピッチ）で角度位置を変えながら、午前と午後において、０時０分（１２時０分）、１時５分、２時１０分、３時１６分、４時２１分、５時２７分、６時３２分、７時３８分、８時４３分、９時４９分、１０時５４分に、時針用部分意匠１６Ｂと分針用部分意匠１６Ｃとの間でカット前の意匠１６の一部が現出する。
だたし、残った秒針用部分意匠１６Ａは、０時０分０秒（１２時０分０秒）の時刻を除き、２つの部分意匠１６Ｂ，１６Ｃとは異なる角度位置に在る。すなわち、１時５分に秒針用部分意匠１６Ａの秒針先マークＭ１は２７秒を指し、２時１０分に秒針先マークＭ１は５４秒を指し、同様にして３時１６分には２１秒を指し、４時２１分には４９秒を指し、５時２７分には１６秒を指し、６時３２分には４３秒を指し、７時３８分には１０秒を指し、８時４３分には３８秒を指し、９時４９分には５秒を指し、１０時５４分には３２秒を指す。
【００５４】
しかしながら、時針用部分意匠１６Ｂと分針用部分意匠１６Ｃとのズレ角が０°となる時刻の１分前または１分後（ここでは１分前を略同一意匠１６Ｄの現出時とする）には、秒針用部分意匠１６Ａと、隣り合う時針用部分意匠１６Ｂとのズレ角が０°となる時刻が存在する（図６を参照）。これにより、これらの時刻において、カット前の意匠１６と、３つの部分意匠１６Ａ〜１６Ｃからなる意匠１６Ｄとは、凝視しなければ判別できない程度の形状変形しか発生しない。
その結果、レコード１１を文字盤としたお洒落なインテリア時計としての高いデザイン性を有するだけでなく、動的な鑑賞性にも優れたレコード時計１０を提供することができる。しかも、このように３分割された意匠１６Ａ〜１６Ｃであっても、約１時間毎、時計回りに所定ピッチで角度位置を変えながら、カット前の意匠（略同一意匠１６Ｄを含む）１６を現出することができる。
【００５５】
また、実施例１のレコード時計１０においては、使用者から提供された愛聴レコード１１の盤面上で、円環カット前の“使用者およびレコード１１に纏わる意匠１６，１６Ｄ”が再現された時刻に、オーディオ手段２８の記憶部２５に記憶された“使用者からのレコード１１を音源とした”バタフライの“音楽データ”を音楽再生回路２６により再生し、再生した音楽をスピーカー２７により出力する。これにより、毎正時ではなく、時計の針が重なる時刻毎に、円環カット前のレコード１１に表現された意匠１６，１６Ｄを再現するとともに、その意匠１６，１６Ｄが再現されたことを音楽により報知することができる。しかも、毎正時ではなく、３本の時計の針が重なる時刻毎に、愛聴したレコード１１や使用者の古き良き時代に纏わる意匠１６を観ての視覚的な刺激と、愛聴曲による聴覚的な刺激との相乗効果によって、より強く使用者の想い出を呼び覚ますことができる。
【００５６】
なお、意匠１６を３分割する場合、“レコード１１の盤面上で円環カット前の意匠１６，１６Ｄが再現される”のは、１秒〜数秒間のみである。そのため、スピーカー２７から愛聴曲が出力された後、レコード時計１０を見ても、秒針用部分意匠１６Ａはすでに時計回りに角度ズレしているおそれがある。そこで、図７に示すように、秒針用細軸３１の途中部にクラッチ４９を設け、円環カット前の意匠１６，１６Ｄが再現された後、秒針用部分レコード１１Ａが１回転する時間（１分間）だけ、秒針用部分レコード１１Ａの回転を停止するように構成してもよい。ただし、時針用筒軸３０および分針用筒軸２９への回転力の伝達には支障がないように構成しなければならない。また、この停止している間、愛聴曲を継続してスピーカー２７から出力した方がより効果的である。さらには、０時０分０秒と１２時０分０秒とには、愛聴曲（別の曲でもよい）を略１曲全部聞ける３分間だけ、スピーカー２７からその曲を出力してもよい。１分（または３分）経過直後、クラッチ４９を連結して秒針用部分レコード１１Ａの回転を再開しても、時針用筒軸３０および分針用筒軸２９が通常通りに回転していれば、時間の遅れは生じない。
また、秒針用部分レコード１１Ａの回転を停止させる構成としては、例えばレノイド５０の移動シャフト５１をストッパとして秒針用連結板４４に当接し、図示しないクラッチを介して、秒針用細軸３１を空回りさせるものを採用してもよい。
【００５７】
以上、この発明の実施例を説明したが、この発明はこれに限定されるものではなく、要旨を逸脱しない範囲での設計変更も含むものである。
例えば、制御部２２からの指令により、正時（１時０分０秒、２時０分０秒等）に時報を鳴らすようにしてもよい。
また、図８に示すレコード時計１０Ａのように、音溝領域ａに形成された意匠１６を、３分割ではなく、時針用部分意匠１６Ｂと分針用部分意匠１６Ｃに２分割（ここでは２等分割）するように、レコード１１を時針用部分レコード１１Ｂと、分針用部分レコード１１Ｃとに円環カットしてもよい。
【００５８】
このとき、秒針用細軸３１の先端は、レコード１１の中央部分に連結されていない。そこで、レコード１１の中央部分を内側から支持するため、時針用連結板４６の内周部には、中央部分用支持フランジ４６ｂが一体的に形成されている。一方、秒針用裏当て部分板１７Ａに代わってレコード１１の中央部分の裏側には、薄肉なプラスチック製の中央部分用裏当て部分板１７Ｄが接着されている。また、中央部分用裏当て部分板１７Ｄの外周部の裏側には、段差状に屈曲して、中央部分用支持フランジ４６ｂを包み込むように支持する裏当て板用支持フランジ１７ａが一体形成されている。これにより、時計作動時、レコード１１の中央部分は、回転することなく文字盤の中央部に配される。
また、同じく図８に示すように、このレコード１１の盤面には、その中央部分と、時針用部分レコードと、分針用部分レコードに跨って３分割された蝶、花、山等の任意の立体モニュメント１８を接着してもよい（ここでは山）。すなわち、立体モニュメント１８は、中央部分用部分モニュメント１８Ａ、時針用部分モニュメント１８Ｂ、分針用部分モニュメント１８Ｃからなる。このように構成すれば、さらに動的および立体的な鑑賞性に優れたレコード時計１０となる。この場合、１日のうちにモニュメント１８が完成する時刻は、０時０分０秒と１２時０分０秒とする。
【産業上の利用可能性】
【００５９】
本発明は、レコードを文字盤に採用したレコード時計の技術として有用である。
【符号の説明】
【００６０】
１０，１０Ａ  レコード時計
１１  レコード
１１Ａ  秒針用部分レコード
１１Ｂ  時針用部分レコード
１１Ｃ  分針用部分レコード
１２  ムーブメント
１３  出力部
１５  センターホール
１６  意匠
１６Ａ  秒針用部分意匠
１６Ｂ  時針用部分意匠
１６Ｃ  分針用部分意匠
２５  記憶部
２６  音楽再生回路（音再生回路）
２７  スピーカー
２８  オーディオ手段
２９  分針用筒軸（分針用出力軸）
３０  時針用筒軸（時針用出力軸）
３１  秒針用細軸（秒針用出力軸）
４４  秒針用連結板（秒針用連結部材）
４５  時針用支持枠（時針用連結部材）
４６  時針用連結板（時針用連結部材）
４７  分針用支持枠（分針用連結部材）
４８  分針用連結板（分針用連結部材）
【図１】
2018200203.tif 000003
【図２】
2018200203.tif 000004
【図３】
2018200203.tif 000005
【図４】
2018200203.tif 000006
【図５】
2018200203.tif 000007
【図６】
2018200203.tif 000008
【図７】
2018200203.tif 000009
【図８】
2018200203.tif 000010